(57)【特許請求の範囲】
【請求項１】
軒棟方向に沿って中空突条に形成されたハゼ部を備えた屋根材本体を有してなり、軒棟方向と直交する方向に隣接する屋根材本体と上記ハゼ部同士の嵌合により連結する構成とした金属屋根材において、
上記ハゼ部の軒側端縁部には、端縁開口を塞ぐ折り曲げ自在な蓋部が一体的に形成されていることを特徴とする金属屋根材。
【請求項２】
請求項１において、
上記屋根材本体は、金属板材を切断、折曲加工して形成されており、
上記ハゼ部を除く屋根材本体の軒側端縁部には、上記ハゼ部の軒側端縁部よりも軒側に突出した雨水誘導用延出片が形成されており、
上記蓋部は、上記金属板材のうち、上記雨水誘導用延出片の成形用の部位に隣接する部位を切断加工して形成されていることを特徴とする金属屋根材。
【請求項３】
請求項１または２において、
上記ハゼ部は、上記屋根材本体の両側端部に形成されており、
一方のハゼ部を外嵌用の嵌合部として構成し、他方のハゼ部を内嵌用の嵌合受部として構成しており、いずれか一方のハゼ部に上記蓋部が形成されていることを特徴とする金属屋根材。
【発明の詳細な説明】
【技術分野】
【０００１】
本発明は、軒棟方向に沿って中空突条に形成された屋根材連結用のハゼ部を備えた金属屋根材に関する。
【背景技術】
【０００２】
従来の金属屋根材として、屋根材同士の連結用のハゼ部を両側端部（軒棟方向に直交する方向の両端部）に、軒棟方向に沿って中空突条状に形成したものがある（例えば、特許文献１参照）。
【０００３】
このハゼ部は中空であるため、その軒側端縁部が開口しており、美観維持のため、従来では桟鼻キャップ（蓋部）を開口に嵌合して開口および中空内部を露出させないようにしている。
【０００４】
また、桟鼻キャップは、葺設される金属屋根材に違和感なく合わせるために、金属屋根材と同種の色、色調のものを用いることが通例であり、屋根材製造業者や屋根施工業者は、施工する金属屋根材ごとに、その屋根材に色、色調の合った桟鼻キャップを使用している。
【先行技術文献】
【特許文献】
【０００５】
【特許文献１】特開２００６−４５７６３号公報
【発明の概要】
【発明が解決しようとする課題】
【０００６】
ところで、屋根材製造業者や屋根施工業者は、顧客の望む屋根の多様性に応じて種々のメーカーの金属板材を用いることが一般的であり、よって、同じ色のものでもメーカーごとに微妙に色調が異なる場合がある。
【０００７】
これに対して、桟鼻キャップは素材が金属であっても、金属屋根材に合わせて個別生産がなされておらず汎用品として生産されているため、種類の豊富な金属屋根材と完全に同一色、同一色調に合わせることは困難であった。特に、色調を合わせることはきわめて困難であった。
【０００８】
また、かりに施工当初に両部材の色、色調を合わせることができたとしても、金属屋根材と桟鼻キャップは金属素材や塗装材料が異なるため、経年変化により両部材の色や色調に差が表われてきて、美観を損ねるおそれもあった。
【０００９】
また、別部材である桟鼻キャップは、ハゼ部の開口に対して嵌合するか、あるいは、さらにコーキング材を用いて取り付ける固定構造であるため、取り付け後に脱落するおそれもあった。
【００１０】
本発明は、このような事情を考慮して提案されたもので、その目的は、施工当初および経年後において蓋部が脱落することがなく、蓋部がその他の部位との間で色や色調に差が表れることがない金属屋根材を提供することにある。
【課題を解決するための手段】
【００１１】
上記目的を達成するために、請求項１に記載の金属屋根材は、軒棟方向に沿って中空突条に形成されたハゼ部を備えた屋根材本体を有してなり、軒棟方向と直交する方向に隣接する屋根材本体とハゼ部同士の嵌合により連結する構成とした金属屋根材において、ハゼ部の軒側端縁部には、端縁開口を塞ぐ折り曲げ自在な蓋部が一体的に形成されていることを特徴とする。
【００１２】
請求項２に記載の金属屋根材は、屋根材本体が金属板材を切断、折曲加工して形成されており、ハゼ部を除く屋根材本体の軒側端縁部には、ハゼ部の軒側端縁部よりも軒側に突出した雨水誘導用延出片が形成されており、蓋部が、金属板材のうち、雨水誘導用延出片の成形用の部位に隣接する部位を切断加工して形成されていることを特徴とする。
【００１３】
請求項３に記載の金属屋根材は、ハゼ部が屋根材本体の両側端部に形成されており、一方のハゼ部を外嵌用の嵌合部として構成し、他方のハゼ部を内嵌用の嵌合受部として構成しており、いずれか一方のハゼ部に蓋部が形成されていることを特徴とする。
【発明の効果】
【００１４】
請求項１に記載の金属屋根材は、ハゼ部の軒側端縁部に端縁開口を塞ぐ折り曲げ自在な蓋部が一体的に形成された構成であるため、蓋部とその他の部位との色、色調を確実に合わせることができるし、蓋部が脱落するおそれも当然にない。また、蓋部は金属屋根材に一体に含まれているため、その他の部位とともに同様に経年変化し、そのため施工後、色、色調に差が表われるおそれはない。よって、色、色調差により美観が損なわれるおそれはない。
【００１５】
また、折り曲げるだけで蓋部として作用させることができるため、金属屋根材の施工が楽に行える。さらに、別体の蓋部を調達する必要がないため施工準備を簡易にでき、また部材を減らすことができるから低コスト化、在庫管理の簡便化にもつながる。
【００１６】
請求項２に記載の金属屋根材は、蓋部が、材料である金属板材のうち、雨水誘導用延出片の成形用の部位に隣接する部位を切断加工して形成されたものであるため、ハゼ部の軒側に位置する本来端材となっていた廃棄部位を使用できる。そのため、さらなる低コスト化を実現できる。
【００１７】
請求項３に記載の金属屋根材は、両側端部に形成された、外嵌用、内嵌用いずれか一方のハゼ部に蓋部が形成されているため、施工時の折り曲げ加工は片方のハゼ部のみでよく、そのため迅速な施工を行える。
【図面の簡単な説明】
【００１８】
【図１】本発明の一実施形態に係る金属屋根材の斜視図である。
【図２】（ａ）は金属屋根材の部分正面図、（ｂ）は同部分側面図である。
【図３】金属屋根材のハゼ部の連結手順を示す部分正面図であり、（ａ）、（ｂ）、（ｃ）には各々、連結前の状態、ハゼ部の嵌合状態、蓋部を折り曲げた状態を示している。
【図４】金属屋根材の連結状態を示す斜視図である、
【図５】金属屋根材の要部の展開状態を示す部分展開図である。
【図６】（ａ）、（ｂ）は各々、本発明の他の実施形態に係る金属屋根材の連結状態を示す部分正面図、部分側面図である。
【図７】図６の金属屋根材の要部の展開状態を示す部分展開図である。
【図８】（ａ）、（ｂ）は各々、本発明のさらに他の実施形態に係る金属屋根材の連結状態を示す部分正面図、部分側面図である。
【図９】図８の金属屋根材の要部の展開状態を示す部分展開図である。
【発明を実施するための形態】
【００１９】
以下に、本発明の実施形態について、添付図面を参照しながら説明する。
【００２０】
図１〜図５は、本発明の一実施形態に係る金属屋根材の説明図である。図１は金属屋根材の斜視図、図２（ａ）は金属屋根材の部分正面図、図２（ｂ）は同部分側面図である。図３は金属屋根材のハゼ部の連結手順を示す部分正面図であり、図３（ａ）、（ｂ）、（ｃ）には各々、連結前の状態、ハゼ部の嵌合状態、蓋部を折り曲げた状態を示している。図４は金属屋根材の連結状態を示す斜視図、図５は金属屋根材の要部の展開状態を示す部分展開図である。
【００２１】
この金属屋根材（屋根材本体１０）は、奥行寸法を葺設対象の屋根の軒棟方向Ｙ（図１中、矢印で図示。軒棟方向Ｙの図１中下方側が軒側を示す）の長さ寸法に合った寸法とし、幅寸法を一定の寸法としたものである。この屋根材本体１０は、屋根下地（不図示）に対して重ねられるように平面形状とした板部１１を備えるとともに、幅方向の両側端部には、屋根の軒棟方向Ｙと直交する方向Ｘ（図１中、矢印で図示）に隣接する屋根材本体１０と連結するためのハゼ部１２、１３が形成されている。なお、板部１１には軒棟方向Ｙに走る模様が凹凸状に形成されている。
【００２２】
このハゼ部１２、１３の軒側端縁部は、図１に示すように、屋根材本体１０の軒側端縁部よりも後退した位置（棟側の位置）にある。すなわち、ハゼ部１２、１３を除く屋根材本体１０の軒側端縁部には、ハゼ部１２、１３の軒側端縁部よりも軒側に突出した延出片が形成されている。この延出片が軒樋（不図示）に雨水を誘導する雨水誘導用延出片１１ａを構成している。
【００２３】
左右の両ハゼ部１２、１３は、軒棟方向Ｙに沿って略同一形状の中空突条状に形成されており、隣接する屋根材本体１０同士は、相互に近い位置に隣接するハゼ部１２、１３同士を嵌合することで連結される。なお、ハゼ部１２、１３は嵌合する際に弾性変形するため両ハゼ部を同一寸法に形成してよいが、外嵌するほうのハゼ部１２をやや大きく形成したものでもよい。
【００２４】
本実施形態では、葺設済みの屋根材本体１０の葺設方向側（図１中の左側）に配されたハゼ部１３に対して、これから葺設しようとする屋根材本体１０の右側のハゼ部１２を被せるように嵌合することで連結するようになっている。つまり、図１に示した右側のハゼ部１２（図２（ａ）、（ｂ）参照）が外嵌用の嵌合部を構成し、左側のハゼ部１３（図２（ａ）参照）が内嵌用の嵌合受部を構成している。以下では、嵌合部をハゼ部（嵌合部）１２と、嵌合受部をハゼ部（嵌合受部）１３と記載する。
【００２５】
ハゼ部（嵌合受部）１３は、板部１２より略垂直に立ち上がった基部１３ａと、その基部１３ａよりも幅広に形成された膨出部１３ｂと備えてなり、基部１３ａと膨出部１３ｂとの境界に段部１３ｃが形成されている。
【００２６】
一方、ハゼ部（嵌合部）１２は、基部１２ａと、ハゼ部（嵌合受部）１３の膨出部１３ｂに被せることができる膨出部１２ｂとを備えてなり、ハゼ部（嵌合受部）１３に外嵌したときに、ハゼ部（嵌合受部）１３の段部１３ｃに引っ掛かって係止するようにした段部１２ｃが形成されている。このハゼ部（嵌合部）１２の基部１２ａは、それを構成する両側の板片が「ハ」字状に広がって、ハゼ部（嵌合受部）１３を外嵌するための嵌合開口を構成している。
【００２７】
このハゼ部（嵌合部）１２の軒側端縁部には、その膨出部１２ｂの一部を構成する内側壁片１２ｂａに軒方向に延びる蓋部１５が延出形成されている。この蓋部１５は、内側壁片１２ｂａとの境界部で折り曲げ自在となっている。
【００２８】
また、屋根材本体１０の両側端（右側端はハゼ部（嵌合部）１２の基部１２ａの右側の板片、左側端は板部１１）には、端部を折り曲げ重ね合わせた補強部１１ｂが形成されている。
【００２９】
本実施形態では、図３に示すように、葺設済みの屋根材本体１０に対して葺設方向（図中左方向）に順次葺設する例を示している。
【００３０】
なお、図３〜図５および後述する他の実施形態の説明図である図６、図８においては、説明の便宜上、連結するほうの（これから葺設しようとする）金属屋根材については各部の符号に（Ａ）を付加し、連結されるほうの（葺設済みの）金属屋根材については各部の符号に（Ｂ）を付加しているが、両者は同一種類の金属屋根材である。
【００３１】
図３（ａ）〜（ｃ）は葺設工程を示した部分正面図であり、図４は屋根上で２枚の金属屋根材が連結された状態を示す斜視図である。
【００３２】
これから葺設しようとする屋根材本体１０（Ａ）は、上方よりハゼ部（嵌合部）１２（Ａ）を葺設済みの屋根材本体１０（Ｂ）のハゼ部（嵌合受部）１３（Ｂ）に被せるように外嵌することで、葺設済みの屋根材本体１０（Ｂ）に連結される（図３（ａ）、（ｂ）参照）。両屋根材本体１０（Ａ）、１０（Ｂ）は金属板材で形成されているため、嵌合する際に、屋根材本体１０（Ａ）のハゼ部（嵌合部）１２（Ａ）は広がるように弾性変形しながら、他方の屋根材本体１０（Ｂ）のハゼ部（嵌合受部）１３（Ｂ）は狭まるように弾性変形しながら両者は嵌合する。
【００３３】
両屋根材本体１０（Ａ）、１０（Ｂ）が確実に嵌合連結されたのちに、ハゼ部（嵌合部）１２（Ａ）側に形成された突出状態にある蓋部１５を端縁開口１４側に折り曲げることで、蓋部１５によって端縁開口１４および両方の基部１２ａ、１３ａが隠される（図３（ｃ）、図４参照）。なお、図１および図３（ｃ）において、折り曲げた状態の蓋部１５にはクロスハッチングを付している。
【００３４】
このようにして、屋根上にて金属屋根材同士が連結される。
【００３５】
このように、金属屋根材はハゼ部（嵌合部）１２の軒側端縁部に端縁開口１４を塞ぐ折り曲げ自在な蓋部１５が一体的に形成されているため、蓋部１５と板部１１の色、色調を確実に合わせることができ、一体形成なので蓋部１５が脱落することも当然にない。また、蓋部１５は板部１１と同様に経年変化するため、施工後、色、色調の差が出ることはない。よって、色、色調差により美観が損なわれることはない。
【００３６】
また、折り曲げるだけで蓋部１５として作用させることができるため、金属屋根材の施工が楽に行える。さらに、別体の例えばキャップ状の蓋部を調達する必要がないため施工準備を簡易にでき、また部材を減らせられるから低コスト化、在庫管理の簡便化にもつながる。
【００３７】
このような金属屋根材は、金属板材を切断加工して形成される。図５は、金属屋根材の軒側部分の展開状態を示す部分展開図である。
【００３８】
上述したように、ハゼ部１２、１３を除く屋根材本体１０の軒側端縁部には、ハゼ部１２、１３の軒側端縁部よりも軒側に突出した雨水誘導用延出片１１ａが形成されているため、展開図に示すように、金属板材のうちの雨水誘導用延出片１１ａの成形用の部位に隣接する部位は、その一部が屋根材本体１０の一部である蓋部１５として残され、他の部分は切り取られ端材Ｈとして取り除かれる。
【００３９】
このように、本金属屋根材は、材料である金属板材のうち、本来端材Ｈとして捨てられる部位を蓋部１５として利用できる。したがって、蓋部１５が一体成形されることにあいまって、さらなる低コスト化が実現できる。
【００４０】
なお本実施形態の例では、蓋部１５をハゼ部１２の内側壁片１２ｂａに形成したものを示したが、図５中、２点鎖線で示したように、蓋部１５を外側壁片１２ｂｂに形成するようにしてもよい。
【００４１】
ついで、他の２実施形態について説明する。
【００４２】
図６は本発明の他の実施形態に係る金属屋根材の説明図であり、図６（ａ）は金属屋根材の部分正面図、図６（ｂ）は同部分側面図である。図７は、図６の金属屋根材の要部の展開状態を示す部分展開図である。また、図８、図９はさらに他の実施形態に係る金属屋根材の説明図であり、図８（ａ）は金属屋根材の部分正面図、図８（ｂ）は同部分側面図、図９は図８の金属屋根材の要部の展開状態を示す部分展開図である。
【００４３】
図６、図７に示した実施形態では、蓋部１５が２つの蓋片１５ａ、１５ａで構成されており、それらの各蓋片１５ａはハゼ部（嵌合部）１２の膨出部１２ｂを構成する内側壁片１２ｂａ、外側壁片１２ｂｂのそれぞれより延出形成され、両開き戸のごとく、各蓋片１５ａを折り曲げて両片の先端を端縁開口１４（図３参照）の中央で対向させることで蓋部１５として作用させる構成となっている。図６（ａ）では、折り曲げた状態の蓋部１５にクロスハッチングを付している。
【００４４】
また、図８、図９に示した実施形態では、蓋部１５が膨出部１２ｂの頂部１２ｂｃより延出されており、嵌合連結後にその蓋部１５を上から下へと折り曲げることで端縁開口１４（図３（ｂ）参照）を塞ぐようになっている。
【００４５】
いずれの実施形態においても、図１〜図５に示した実施形態と同様の効果が奏せられる。
【００４６】
上記３種の実施形態は、雨水誘導用延出片１１ａの延出寸法によって適宜選択すればよい。例えば、雨水誘導用延出片１１ａの延出寸法が図７に示した寸法Ｌ程度であれば、図６および図７に例示した実施形態が有効に活用できる。
【００４７】
一方、図８および図９に例示した実施形態のものは、図例では蓋部１５が基部１２ａ、１３ａを隠していないが、雨水誘導用延出片１１ａの延出寸法が長ければ基部１２ａ、１３ａを隠すことができるため、延出寸法が長い場合には有効である。また、図８および図９に示した蓋部１５は膨出部１２ｂの頂部１２ｂｃより延設されているため、折り曲げ加工がしやすい。
【００４８】
なお、図６、図７および図８、図９の各実施形態に係る各金属屋根材の屋根材本体１０の蓋部１５を除く部位および連結手順については、図１〜図５に示した金属屋根材と同じであるため、同一の構成部については同一の符号を付して、その説明は割愛する。
【００４９】
上記３種の実施形態に示したように、蓋部１５が正面視で金属屋根材の右側のハゼ部（嵌合部）１２に延出形成されていれば、蓋部１５によってハゼ部の壁片同士の重合部位も隠すことができ望ましいが、ハゼ部（嵌合部）１２には形成せず、左側のハゼ部（嵌合受部）１３に延出形成したものでもよい。
【００５０】
また、両方のハゼ部１２、１３に端縁開口１４の全体を塞ぐ蓋部を形成してもよく、それらをともに折り曲げて重ねるようにしてもよいし、施工時にいずれか一方を切断して一方のみを蓋部として使用するようにしてもよい。例えば、葺設方向（右から左または左から右）を考慮して、施工時にいずれか一方を切断除去するようにしてもよい。
【００５１】
また、棟側からハゼ部１２、１３内へのゴミの侵入や雨水の浸入を防止するために、ハゼ部１２、１３の棟側端縁部に、軒側端縁部に設けたものと同様の蓋部を設けてもよい。
【符号の説明】
【００５２】
１０      屋根材本体
１１      板部
１１ａ      雨水誘導用延出片
１１ｂ      補強部
１２      ハゼ部（嵌合部）
１２ａ      基部
１２ｂ      膨出部
１２ｂａ      内側壁片
１２ｂｂ      外側壁片
１２ｂｃ      頂部
１２ｃ      段部
１３      ハゼ部（嵌合受部）
１３ａ      基部
１３ｂ      膨出部
１３ｂａ      内側壁片
１３ｂｂ      外側壁片
１３ｃ      段部
１４      端縁開口
１５      蓋部
１５ａ      蓋片
Ｈ      端材
【図１】
0005597605.tif 000002
【図２】
0005597605.tif 000003
【図３】
0005597605.tif 000004
【図４】
0005597605.tif 000005
【図５】
0005597605.tif 000006
【図６】
0005597605.tif 000007
【図７】
0005597605.tif 000008
【図８】
0005597605.tif 000009
【図９】
0005597605.tif 000010